(57)【特許請求の範囲】
【請求項１】
デッキ、例えばテラス、を形成するために並置されるスラット（１）を取り外し可能に固定するためのシステムであって、平坦な床上に、又は、前記スラット（１）の軸に垂直に方向付けられたジョイスト若しくは床板受支持体（２０）上に列を成して配置される留め具（３）を含み、前記留め具（３）が前記スラット（１）に対する締結手段を含むシステムにおいて、
前記システムは、平坦な床に対して平行に配置された、又は、ジョイスト又は床板受タイプの各支持体（２０）につき１つの不浸透性チャネル（２）の割合で配置され、それにより前記支持体（２０）の上面を覆う複数の不浸透性チャネル（２）を含み、取り外し可能な締結手段及び位置決め手段が、前記チャネル（２）上、及び、フレキシブルな弾性材料から作られた留め具（３）上に設けられ、前記留め具（３）が、前記チャネル（２）と弾性的に接続され、前記位置決め手段が、前記チャネル（２）の軸方向における遊びを許容することを特徴とするシステム。
【請求項２】
請求項１に記載の並置されるスラット（１）を固定するためのシステムであって、
各チャネル（２）が、２つの側部ガイドウェイ（２２、２３）であって、各留め具（３）の長手方向端近くで各留め具（３）のソールプレート（４）から突出するフックを形成する少なくとも２つのタブ（１０）と協働するように構成された２つの側部ガイドウェイ（２２、２３）を含み、前記タブは、前記ソールプレート（４）が前記チャネル（２）の上面に置かれている時に、前記ガイドウェイ（２２、２３）内に弾性的にクリップすることを特徴とするシステム。
【請求項３】
請求項２に記載の並置されるスラット（１）を固定するためのシステムであって、
前記タブ（１０）は、前記ソールプレート（４）内に形成された矩形開口部（８）の縁を接続する横材（９）から延び、前記横材（９）は前記チャネル（２）の軸に沿って方向付けられていることを特徴とするシステム。
【請求項４】
請求項２又は請求項３に記載の並置されるスラット（１）を固定するためのシステムであって、
前記タブ（１０）は、フック（１１）を構成する突出チャネルを自由端に備える面とは反対側の面上に、フィン（１５）を含み、フィン（１５）の下部チャネルは、前記ソールプレート（４）から突出し、更には、矩形状の切り欠き（１６）を備えることを特徴とするシステム。
【請求項５】
請求項１から請求項４のいずれか１項に記載の並置されるスラット（１）を固定するためのシステムであって、
前記位置決め手段は、各留め具（３）のソールプレート（４）を通過して突出する少なくとも２つのスタッド（１３）であって、前記チャネル（２）の上面に設けられた２つの位置決め孔（２４）内に挿入されるように設けられたスタッド（１３）を含み、前記スタッド（１３）は、それぞれ、前記留め具（３）の縦方向（長手方向）及び横方向の２つの正中面の一方の側に位置していることを特徴とするシステム。
【請求項６】
請求項３から請求項５のいずれか１項に記載の並置されるスラット（１）を固定するためのシステムであって、
それぞれが、前記ソールプレートの開口部（８）の第１縁であって、一方では前記チャネル（２）の軸と平行であり、他方では前記留め具（３）の横方向正中面に近接する、前記ソールプレートの開口部（８）の第１縁に、舌（１４）によって接続される２つのスタッド（１３）が存在し、各スタッド（１３）は、前記第１縁に垂直な前記開口部（８）の第２縁の近くに置かれていることを特徴とするシステム。
【請求項７】
請求項４、請求項４を引用する請求項５、又は請求項４を引用する請求項６記載の並置されるスラット（１）を固定するためのシステムであって、
前記チャネル（２）の上面は、前記留め具（３）が載る平坦な中央レール（１７）を含み、前記ソールプレート（４）の下面からの前記タブ（１０）及びフィン（１５）の突出部と少なくとも等しいチャネル（２）の上面からの距離に置かれたれた２つの横平面部分上に、前記留め具（３）が位置することを特徴とするシステム。
【請求項８】
請求項１から請求項７のいずれか１項に記載の並置されるスラット（１）を固定するためのシステムであって、
前記チャネル（２）は、横方向において、垂直支持面（２０）の一部を覆うことが可能な返しを備えることを特徴とするシステム。
【請求項９】
請求項７、又は、請求項７を引用する請求項８に記載の並置されるスラット（１）を固定するためのシステムであって、
実質矩形状の断面を有する中央軸方向溝（１８）が前記中央レール（１７）の上面に形成され、前記中央軸方向溝（１８）は、その対向垂直壁に前記チャネル（２）の表面と平行に方向付けられた線状螺子切りを備えることを特徴とするシステム。
【請求項１０】
請求項５又は請求項６に記載の並置されるスラット（１）を固定するためのシステムであって、
前記チャネル（２）の上面は、前記留め具（３）が載る平坦な中央レール（１７）を含み、
実質矩形状の断面を有する中央軸方向溝（１８）が前記中央レール（１７）の上面に形成され、
前記チャネル（２）の前記中央レール（１７）は、前記中央軸方向溝（１８）の両側に、前記スタッド（１３）の直径と少なくとも等しい幅の矩形断面を有する２つのサイド溝（１９、２１）を含み、前記サイド溝の上部開口部は、スロットによって分離された凹状リムにより部分的に閉鎖されており、前記サイド溝には、前記スタッド（１３）用の位置決め開口部（２４）が形成されていることを特徴とするシステム。
【請求項１１】
請求項９又は請求項１０記載の並置されるスラット（１）を固定するためのシステムであって、
前記留め具（３）は、前記中央軸方向溝（１８）に対する、前記チャネル（２）の横方向における中心に置かれた貫通開口部（１２）を備えることを特徴とするシステム。
【発明の詳細な説明】
【発明の詳細な説明】
【０００１】
本発明は、上げ床又はデッキを形成するために、例えばテラス、より一般的には板張を形成するために並置されるスラット又はストリップを固定するためのシステムに関し、それにより、前記スラットは、前記スラットの軸に直交する向きに方向付けられたジョイスト又は床板受タイプの並列要素に基づき得る支持構造物に締結される。
【０００２】
留め具は、並行配置後に当該並置されたスラットを支持体上に固定するように、前記支持体上に列を成して配置される。これらの留め具は、螺子による従来の締結に取って代わるように設計されている。これは、特に、正確な測定の実行、事前穿孔、螺子頭をはめ込むための追加の穿孔等を必要とするため、同様に制限的である。また、螺子留めによる板張の製作は長く退屈であり、螺子留め作業は個々に行われなければならない。螺子が板張の表面上で見えるままであるので、結局、このタイプの組み立ての別の欠点は、美的なものにある。
【０００３】
そのため、より実装が簡単な留め具を用いることが提案され、留め具は、例えば、支持床板受上に予め載置され、これらの留め具は、スラット下面において、その端に設けられた凹部に固定できるように形成される。従って、より具体的には、弾性素材から形成されるように設けられる特定の留め具は、ベースを形成するとともにジョイスト又は床板受の上面に締結されることが意図された第１部分と、スラットに形成された凹部又はほぞ穴に弾性的にクリップすることが意図された一種のほぞを形成する、第１部分に垂直な第２部分と、を含む。
【０００４】
支持体表面に規則的にネジ留めされる、これらの留め具は、それでもやはり、このような板張を作成するときに生じる問題の全てをなくすわけではない。従って、締結位置は計算されなければならなく、非常に正確な測定を要し、あるいは、これら留め具の媒介物上の配置を要し、媒介物は、先立って留め具の相対配置をもたらし、続いて床板受に締結される。これらの予備作業が正確に行われる場合でさえ、落とし穴のないアセンブリを保証するのは難しい。なぜなら、支持梁が通常木から作られ、気候条件の影響、特には悪天候の影響、及び、その通常の当然の結果、即ち、木材は作用し温度変化により形状変化し湿度により膨潤し、次には菌類などの発生を促進し得る現象下で変形するかもしれないからである。これら木製支持体の上面であって、形状を保持することが想定され、最初は原則として平面でなければならない−因みに、これは満たされるべき更なる制限である−木製支持体の上面は、実際には必ずしも最初の仕様に一致するとは限らない。気象災害からの不十分な保護に煩わされ、また時間の経過とともに潜在的に劣化するという前記構造の維持能力もまた問題である。
【０００５】
取外しの段階において、これらの留め具の各々−プラスチックから大抵の場合作られる−は、実際には、次に個別にネジを外される、例えば、メンテナンス操作又はリサイクルのために個々にネジを外される。これは実行を思いとどませる制限的なアプローチである。
【０００６】
本発明に係る並置スラットを固定するためのシステムは、特に腐敗と菌類からの支持構造物の効果的保護を確実にし、それにより木材の耐久性を向上する設計を提案することにより、これらの様々な欠陥を解決する。このシステムは、また、スラット及び留め具の締結及び分解を非常に容易にし、スラットが変形する場合には機能的な遊びを許容し、平坦度等の重要な幾何学的パラメータの整合性を最終的には保証する。
【０００７】
従って、本発明は、固定システムが、平坦な床に対して平行に配置された、又は、ジョイスト又は床板受タイプの各支持体につき１つの不浸透性チャネルの割合で配置され、それにより前記支持体の上面を覆う複数の不浸透性チャネルを備え、取り外し可能な締結手段及び位置決め手段が、チャネル上、及び、フレキシブルな弾性材料から作られた留め具上に設けられ、前記位置決め手段が、チャネルの軸方向における遊びを許容することを本質的に特徴とする。
【０００８】
このチャネルは、例えばアルミニウムから作られ、それ故にリジットで降水に対して耐性があり、支持体の木材の保護カバーを形成し、特にその上部は悪天候の衝撃に耐える。例えば押出し成形によって、この種のチャネルを製造する方法の観点からみて、直線性及び平坦性が保証される。前記チャネルに留め具を締結する手段は取り外し可能であり、それらは分解するのが簡単である。この構造はまた、位置決め手段が予め設けられ、この手段が更には、変形する可能性のある木製スラットの特定の技術的環境に適合し、留め具の軸方向調節が可能であることから、スラットの分布の問題を解決する。これらの特徴は、使用において比類のない容易さ及び柔軟性をアセンブリに与える。
【０００９】
コンクリート床又はタイルが張られた床タイプの支持体へチャネルを固定する場合には、スペーサ、例えば硬質ゴムから作られたウェッジが、床とのインターフェースを提供する。
【００１０】
より具体的には、各チャネルは、２つの側部ガイドウェイであって、各留め具の長手方向端近くで各留め具のソールプレートから突出するフックを形成する少なくとも２つのタブと協働するように構成された２つの側部ガイドウェイを含んでいてもよく、タブは、ソールプレートがチャネルの上面に置かれている時に弾性的に前記ガイドウェイ内にクリップする。
【００１１】
留め具は、実際には、チャネルに横切って締結し、それにより、締結手段は、各留め具両端に近接する。脱着性は、特に留め具の構成材料の弾性特性から得られ、弾性特性は、主本体及び留め具、より局所的には締結タブの湾曲も可能にする。
【００１２】
より具体的には、前記タブがソールプレート内に形成された矩形開口部の縁を接続する横材から延び、前記横材はチャネルの軸に沿って方向付けられる。留め具の柔軟性材料により、横材は、タブの湾曲と組み合わさって、いくらかのねじれを経験し得て、アセンブリの段階及び分解の段階においてうまく活用される。
【００１３】
従って、タブは、フックを構成する突出チャネルを自由端に備える面とは反対側の面上に、フィンを含み、そのフィンの下部チャネルは、ソールプレートから突出し、矩形状の切り欠きを備える。この切り欠きは、後でより詳細に説明されるように、締結タブを外すために締結タブを旋回させようとする分解ツールを挿入するのに使用される。
【００１４】
本発明によれば、位置決め手段がソールプレートを通過して突出する少なくとも２つのスタッドであって、チャネルの上面内に設けられた２つの位置決め孔内に挿入されるように設けられたスタッドを含み、前記スタッドは、それぞれ、留め具の縦方向（長手方向）及び横方向の２つの正中面の一方の側に位置している。留め具は、実際、ソールプレートを垂直に横断し且つその幾何学的な中心を通過し、上述した２つの正中面によって定義される中心軸に、わずかの例外を除いて、全く対称的である。
【００１５】
より具体的には、それぞれが、ソールプレートの開口部の第１縁であって、一方ではチャネルの軸と平行であり、他方では留め具の横方向正中面に近接する、ソールプレートの開口部の第１縁に、舌によって接続される２つのスタッドが存在し得て、各スタッドは、第１縁に垂直な開口部の第２縁の近くに置かれる。この舌は、留め具材料から作られるためフレキシブルであり、板張のスラットが横方向膨張又は収縮する場合における軸方向の遊びを許容する。但し、遊びは、事実上の停止部を構成する第２縁の近接によって制限される。
【００１６】
本発明によれば、チャネルの上面は、留め具が載る平坦な中央レールを含み、ソールプレートの下面からのタブ及びフィンの突出部と少なくとも等しいレールの上面からの距離に置かれた２つの横平面部分上に、留め具は位置する。
【００１７】
前記チャネルは更に、横方向において、床板受タイプの垂直支持面の一部を覆うことが可能な返しを備えていてもよい。被覆が増加されるので木材保護がひいては改善される。流出水は、木材の水平部上での停滞のリスクなく流れることができる。
【００１８】
１つの好ましい構成によれば、実質矩形の断面を有する中央軸方向溝がチャネルの中央レールの上面に形成され、前記溝は、その対向垂直壁に、チャネルの表面と平行に方向付けられた線状螺子切りを備える。
【００１９】
留め具はそれ自体、前記溝に対し、チャネルの横方向において中心に置かれた貫通開口部を備える。従って、貫通開口部を通る螺子を用いることにより、留め具をチャネルに、より持続可能に締結することができ、その螺子の螺子切りは、中央溝の線状螺子切りと係合する。そして、締結は、もはやクリッピングによってのみ提供され、それにもかかわらず、初期位置決めを提供する。
【００２０】
チャネルの中央レールは、中央溝の両側に、スタッドの直径と少なくとも等しい幅の矩形断面を有する２つのサイド溝を更に含み、その上部開口部は、スロットによって分離された凹状リムにより部分的に閉鎖されており、サイド溝には、スタッド用の位置決め開口部が形成されている。
【００２１】
添付図面を参照しつつ、以下に本発明をより詳細に説明する。
【図面の簡単な説明】
【００２２】
【図１】幾つかのスラット及び床板受タイプの支持体に適用された本発明に係る固定システムの斜視図である。
【図２】留め具の斜視上面図である。
【図３】留め具の斜視底面図である。
【図４ａ−４ｂ】チャネル上の留め具の締結を断面において示す。
【図５】留め具が設けられたチャネルの斜視図を示し、それらが設けられていない部分は、それらの位置決め開口部を示す。
【図６】軸方向の機能的な遊びの限度を示す。
【図７−８】板張のスラットを分解する方法を示す。
【発明を実施するための形態】
【００２３】
まず図１から図を参照すると、本発明に係るスラット（１）を固定するためのシステムは、床板受（２０）の上に位置するチャネル（２）から作られ、この上には留め具（３）が横に、原則として規則的に配置されている。
【００２４】
留め具は、特に図２及び３を見られるように、２つの主要部と、チャネル（２）の上部に当接することが意図されたソールプレート（４）と、から作られている。このソールプレート（４）から突出して、締結部（５）が実質上垂直に配置されている。その締結部の上部は傾斜した側部フラップ（６、６’）を含み、断面が矢印の形状である。締結部（５）は、スラット（１）の内面に配置される対応する形状（７）を有する凹部に既知の方法でクリップされるように構成される。
【００２５】
締結部（５）の両側において、ソールプレート（４）は、横材（９）によって横切られる矩形開口部（８）を含み、横材（９）には、フック形状の端部（１１）を備えるタブ（１０）が固定されている（特に図３参照）。これらのタブ（１０）は、ソールプレート（４）の下面から突出し、ソールプレートは更に、適用可能な場合、チャネル（２）に留め具（３）をネジ留め可能にする開口部（１２）を備える。
【００２６】
ソールプレート（４）において対角線上に位置している２つの窓（８）内にスタッド（１３）が見える。これらのスタッドは、留め具（３）の横断正中面に近い開口部（８）の短辺に、しかも長辺のすぐ近くで、舌（１４）を介して接続されている。
【００２７】
複数タブ（１０）は、フック形成端部（１１）を有する面とは反対側のそれらの面上に、フィン（１５）であって下部チャネルが矩形状の切り欠き（１６）を有するフィン（１５）を含む。
【００２８】
図４ａ及び図４ｂで示されるように、スタッド（１３）、更には、フィン（１５）及び切り欠き（１６）も、ソールプレート（４）の下表面から突出している。チャネル（２）は、３つの並列溝、中央溝（１８）及び２つのサイド溝（１９、２１）を備える中央レール（１７）を含む。これらの溝は、矩形断面を有し、中央溝（１８）は、その垂直面の両方に、線状に延びる螺子切りを有する。中央レールは、断面において、タブ（１０）／フィン（１５）が配置される２つの平面部分によって囲まれる。
【００２９】
中央溝（１８）の螺子切りは、適用可能な場合、ネジを使用してタブ（３）を固定することを可能にし、この螺子は、開口部（１２）内に挿入され、その後、タブ（３）が図４ｂで示されるような挿入された位置にある時に、即ち、ソールプレート（４）の下表面がレール（１７）の上表面に接している状態で、線状螺子切りに締め付けられ得る。
【００３０】
図４ａは、挿入前の留め具（３）を示し、矢印は、チャネル（２）上で留め具をクリップするために、留め具（３）上に付与される力の方向及び感覚を示している。一方から他方までの通路は、中央レール（１７）の側部ガイドウェイ（２２、２３）へのタブ（１０）及びそれらのフック（１１）を備え付けに関わる。
【００３１】
フック部分（１１）、及び側部ガイドウェイ（２２及び２３）の上部もまた、斜角がつけられた、又は傾斜した表面を含み、表面は、カムのように滑り、その後のタブ（１０）の湾曲を許容してタブをガイドウェイ（２１、２２）内側でクリップする。
【００３２】
このクリッピングと同時に、スタッド（１３）は、図５に示されるように、溝（１９，２０）内で等間隔に予め穴が空けられた開口部（２４）に挿入される。
従って、チャネル（２）内の留め具（３）の位置決めは、特に正確である。然れば、スラット（１）が変形するケースにおいて、木材の膨張又は収縮のいずれか、即ち、その幅の増加を生じさせる膨張方向における各スラットの横変形、又は、その幅の減少を生じさせる戻りを伴いながら、図６に示されるように、留め具（３）は、横方向の遊びの可能性を有する。
【００３３】
この図６に表されている矢印は、スタッド（１３）が位置している近くの開口部（８）の縁に当接するまで舌（１４）の湾曲を許容する、スラットの収縮又は膨張の方向を示している。これらの縁は、湾曲を制限して動作に対する停止部を形成する、従って、可能な遊びを形成する。
【００３４】
従って、舌（１４）は、留め具（３）が僅かにチャネルに沿ってスライドすることを可能にするために変形することができ、それにより、木材が変形する場合に、留め具（３）の劣化を防止する。スタッド（１３）の開口部（８）の縁への近接による移動の制限の更なる利点は、膨張又は収縮にもかかわらず、木材がその予め定められた位置近くに保持されるという点にある。それは、板張の構成及び管理の、より一般的な文脈において重要である。
【００３５】
図７は、ユーザによる操作のための上部、及び、フィン（１５）の切り欠き（１６）と係合するように設けられた下部セグメント（２６）を備える分解ツール（２５）によって想定される形状を示す。セグメント（２６）は、２つの隣接したスラット（１）を分離する隙間へ挿入され、次に、ツールは、図４ｂに明確に示されているように、ソールプレート（４）より下に突出する切り欠き（１６）内にそれを置く前に９０°旋回させられる。この動作は、チャネル（２）の中央レール（１７）の上表面と、タブ（１０）及びフィン（１５）が配置される平面部分との間のオフセットの存在により可能である。あとは、タブ（１０）の変形（屈曲）によってガイドウェイ（２２）からフック（１１）のロックを解除するために、図８の矢印によって示されるように、上向きの牽引を働かせることであり、適用可能な場合、横材（９）の結合したねじれを伴う。チャネル（２）から取り外された留め具（３）は、スラット（１）に残るが、それは、それから続いて除去されてもよい。そのオペレーションは、その異なる支持体（２０）からスラット（１）を完全に取り外すまで他の留め具に対しても繰り返されてもよい。
【００３６】
従って、例えば押し出し成形されたアルミニウムから製造されたチャネル（２）はリジッドであるが、その一方で留め具（３）は、上述された操作全てが可能なように、柔軟性及び弾性がある材料から当然作られなければならない。
【００３７】
本発明は、前述の図に基づいて説明された例に限定されず、むしろ、当業者が考え得る代替形態及び構成を包含する。
【図１】
0006671293.tif 000002
【図２】
0006671293.tif 000003
【図３】
0006671293.tif 000004
【図４ａ】
0006671293.tif 000005
【図４ｂ】
0006671293.tif 000006
【図５】
0006671293.tif 000007
【図６】
0006671293.tif 000008
【図７】
0006671293.tif 000009
【図８】
0006671293.tif 000010